(57)【要約】本発明は第１のドライバ(１２)と第２のドライバ(１７)を有する引出し要素用の自己引込み及び減衰デバイス(１０)に関して、第１のドライバは外部の活動体(３)と係合する第１のドライバフォーク(１２１)を有して、第１のガイドカーブ(１１２)に変位可能に案内され、第２のドライバは第２のガイドカーブ(１１３)に変位可能に案内され、ドライバ(１２、１７)の一方は減衰要素(１８)に連結され、他方のドライバ(１２、１７)はエネルギー格納ユニット(１３)に連結され、２つのドライバ(１２、１７)は部分的に一緒に結合されている。自己引込み及び減衰デバイス(１０)は、第１のドライバ(１２)はエネルギー格納ユニット(１３)に連結され、第２のドライバ(１７)は減衰要素(１８)に連結され、引込み動作の第１の区間(Ａ)にてエネルギー格納ユニット(１３)と減衰要素(１８)は外部の活動体(３)に作用し、引込み動作の第２の区間(Ｂ)にてエネルギー格納ユニット(１３)のみが外部の活動体(３)に作用する点で区別される。本発明はまた、少なくとも１つの引出し要素と少なくとも１つのそのような自己引込み及び減衰デバイス(１０)を有する家具又は屋内器具に関する。【選択図】図５b
2019531790.tif 000002
【特許請求の範囲】
【請求項１】
第１のドライバ(１２)と第２のドライバ(１７)を有する引出し要素用の自己引込み及び減衰デバイス(１０)であって、第１のドライバは外部の活動体(３)と係合する第１のドライバフォーク(１２１)を有して、第１のガイドカーブ(１１２)に変位可能に案内され、第２のドライバは第２のガイドカーブ(１１３)に変位可能に案内され、ドライバ(１２、１７)の一方は減衰要素(１８)に連結され、他方のドライバ(１２、１７)はエネルギー格納ユニット(１３)に連結され、２つのドライバ(１２、１７)は部分的に一緒に結合されている、自己引込み及び減衰デバイス(１０)において、
第１のドライバ(１２)はエネルギー格納ユニット(１３)に連結され、第２のドライバ(１７)は減衰要素(１８)に連結され、引込み動作の第１の区間(Ａ)にてエネルギー格納ユニット(１３)と減衰要素(１８)は外部の活動体(３)に作用し、引込み動作の第２の区間(Ｂ)にてエネルギー格納ユニット(１３)のみが外部の活動体(３)に作用する、自己引込み及び減衰デバイス(１０)。
【請求項２】
前記第１のドライバ(１２)が完全に引き込まれた位置で、外部の活動体(３)は第２の区間(Ｂ)に位置する、請求項１に記載の自己引込み及び減衰デバイス(１０)。
【請求項３】
前記第２のドライバ(１７)は第１のドライバ(１２)上に配置された内部の活動体(１２３)と協働する第２のドライバフォーク(１７１)を有して、２つのドライバ(１２、１７)を互いに連結する、請求項１又は２に記載の自己引込み及び減衰デバイス(１０)。
【請求項４】
第１の区間(Ａ)内にて第１のドライバ(１２)は、第２のドライバ(１７)の第２のドライバフォーク(１７１)内の内部の活動体(１２３)と係合して、２つのドライバ(１２、１７)を連結し、第１の区間(Ａ)の端部にて第２のドライバ(１７)は第２のガイドカーブ(１１３)によって案内されて、変位経路の第２の区間(Ｂ)にてドライバ(１２、１７)間の連結が解除される、請求項３に記載の自己引込み及び減衰デバイス(１０)。
【請求項５】
第２のガイドカーブ(１１３)は、第１及び第２の区間(Ａ、Ｂ)の間の遷移領域にて傾斜した端部区域(１１３a)を有し、傾斜した端部区域(１１３a)は第１のガイドカーブ(１１２)に対して外方を向く、請求項４に記載の自己引込み及び減衰デバイス(１０)。
【請求項６】
傾斜した端部区域(１１３a)に戻り止め手段(１１６)が配置され、該戻り止め手段(１１６)は端部区域(１１３a)にて第２のドライバ(１７)を固定する、請求項５に記載の自己引込み及び減衰デバイス(１０)。
【請求項７】
前記エネルギー格納ユニット(１３)は、少なくとも１つの引張りバネ(１４)及び/又は少なくとも１つの圧縮バネ(１５)を有する、請求項１乃至５の何れかに記載の自己引込み及び減衰デバイス(１０)。
【請求項８】
前記エネルギー格納ユニット(１３)は、１つの引張りバネ(１４)と１つの圧縮バネ(１５)を有し、両バネは自己引込み及び減衰デバイス(１０)のハウジング(１１)上を変位可能に案内される連結キャリッジ(１６)を介して互いに接続される、請求項７に記載の自己引込み及び減衰デバイス(１０)。
【請求項９】
第２の区間(Ｂ)の長さは、第１のドライバ(１２)の全変位経路の２０％から４０％の間、好ましくは３０％から３５％の間である、請求項１乃至８の何れかに記載の自己引込み及び減衰デバイス(１０)。
【請求項１０】
減衰要素(１８)は線形ダンパである、請求項１乃至９の何れかに記載の自己引込み及び減衰デバイス(１０)。
【請求項１１】
第２のガイドカーブ(１１３)は主案内方向に対して斜めに延びた回避区域(１１３c)を有して、第２のドライバ(１７)の主案内方向に直交する方向への回避動作を可能にする、請求項１乃至１０の何れかに記載の自己引込み及び減衰デバイス(１０)。
【請求項１２】
第２のドライバ(１７)は該ドライバの移行路内に突出するバネランス(１７３)を有して、回避動作中の第２のドライバ(１７)の回復力を与える、請求項１１に記載の自己引込み及び減衰デバイス(１０)。
【請求項１３】
第２のガイドカーブ(１１３)の少なくとも１つの縁部は複数の区間にて可撓性に構成されて、主案内方向を横切る方向への第２のドライバ(１７)の回避移動を可能にしている、請求項１乃至１０の何れかに記載の自己引込み及び減衰デバイス(１０)。
【請求項１４】
前記第２のガイドカーブ(１１３)は自己引込み及び減衰デバイス(１０)のハウジング(１１)の壁に形成され、第２のガイドカーブ(１１３)に隣接した壁内の区間にて切開部(１１８)が存在する、請求項１３に記載の自己引込み及び減衰デバイス(１０)。
【請求項１５】
引出し要素に作用する請求項１乃至１４の何れかに記載の自己引込み及び減衰デバイス(１０)を備えた、少なくとも１つの引出し要素を備えた家具又は屋内器具。
【発明の詳細な説明】
【技術分野】
【０００１】
本発明は、引出し要素用の自己引込み及び減衰デバイスに関し、該デバイスは外部の活動体と係合するための第１のドライバフォークを有し、第１のガイドカーブに変位可能に案内される第１のドライバと、第２のガイドカーブに変位可能に案内される第２のドライバを有する。この場合、一方のドライバは減衰要素に結合され、他方のドライバはエネルギー格納ユニットに結合され、２つのドライバは部分的に互いに結合されている。本発明はまた、少なくとも１つの引出し要素を有する家具又は屋内器具に関する。
【背景技術】
【０００２】
自己引込み及び減衰デバイスは、スライド要素を引込み位置または引出し位置の端部への能動的な引込みを減衰させるために使用される。適切なスライド要素は、例えば、引き出し、器具キャリア、または食品キャリアなどの屋内器具の可動の家具構成要素または可動要素である。スライド要素は通常、引出しガイドのようなガイドデバイスに取り付けられているので、家具本体または屋内器具の内部空間から引き出すことができる。この意味での屋内器具は、特に冷蔵器具、例えば冷蔵庫又は冷凍庫であるが、オーブン又は蒸し器などの調理器具、及び食器洗い機でもある。スライド要素はまた、可動ドア、家具ドア、並びにリビングルームドアまたは折畳み式ドアを有する部屋仕切りであり、これらはガイド要素を介してガイドレールに取り付けられている。あるいは、スライド要素は、作業場のトロリー、医療部門又は薬局のキャビネットでも使用することができる。
【０００３】
スライド要素の快適な動作の為に、上記の自己引込み及び減衰デバイスが付与され、該デバイスは、スライド要素の動きを端部位置へと減衰させ、スライド要素をこの端部位置へ引っ張る。この目的から、少なくとも１つの外部の活動体が、移動するスライド要素上及び/又はこの要素を案内するガイドデバイス上に取り付けられ、活動体は移動するスライド要素上またはこの要素を案内するガイドデバイス上に対応して、自己引込み及び減衰デバイスのドライバに接続されており、加速力及び/又は減速力は、自己引込み及び減衰デバイスとスライド要素との間で伝達され得る。自己引込み及び減衰デバイスは、前記ガイドデバイスに一体化されていてもよいし、家具本体又は屋内器具の内部空間内に別個のユニットとして取り付けられて、外部の活動体と連結されていてもよい。
【０００４】
自己引込み及び減衰デバイスは、家具、屋内器具又はガイドの固定部分と関連していてもよく、その場合、外部の活動体は可動の引出し要素上またはガイドの可動部分上に配置される。しかし、自己引込み及び減衰デバイスが可動の引出し要素上またはガイドの可動部分上に配置され、一方、外部の活動体が家具、屋内器具又はガイドの固定部分と関連するような方法で配置が逆にされてもよい。
【０００５】
ガイドカーブに変位可能に案内され、減衰要素とエネルギー格納ユニットの両方に連結されたドライバを有する自己引込み及び減衰デバイスは公知である。この場合、減衰要素がその内部構造のために変位経路の一部に対してのみ減衰を提供しない限り、エネルギー格納ユニットによって加えられる減衰力及び自己引込み力は、１つのドライバの同じ変位経路にわたって作用する。
【０００６】
更に、自己引込み及び減衰デバイスは、韓国公開公報20120002183号から公知であり、この中で２つの別個のドライバがそれらのガイドカーブに夫々案内される。第１のドライバは、外部の活動体と結合するように構成されている。このドライバは、自己引込みばねに連結されている第２のドライバよりも長いガイドカーブで案内されている。第１の移動区間では、第１のドライバだけが活動体と共に移動し、この移動区間内の引出し要素の移動を減衰させる。この移動区間の後に、第１のドライバ上に配置された内部ドライバは、第１及び第２のドライバが互いに結合されるように第２のドライバのドライバフォークに係合し、外部の活動体は依然として第１のドライバのドライバフォークに係合する。引出し要素が引込み端部位置に達するまで、自己引込み機構と共に減衰が起こる第２の移動区間がこれに続く。
【発明の概要】
【発明が解決しようとする課題】
【０００７】
幾つかの用途にて、特に、冷却機器の引出し要素、または完全に引き込まれた位置でロック要素に係合する引出し要素の用途にて、最大限の力が引込み経路の端部に作用する自己引込み及び減衰デバイスの動作順序は、引出し要素が完全に引き込まれた端部位置への最も安全な引き込みを達成するためには有利である。記載した従来技術の自己引込み及び減衰デバイスはこれをすることができない。これは、例えば引出し、運搬装置または食品運搬装置として構成されたスライド要素がこの端部位置にアンローディングかまたはローディングされる場合、完全に引き出された端部位置にも当てはまる。この目標に達するには、更なる要素を備えた別個の機構が従来技術では必要である。
【０００８】
従って、引出し要素の端部位置内への引込みを確実にすべく、接続された引出し要素の十分に引込まれた位置及び/又は引き出された位置内に移行する際に、可能な最大の自己引込み力を付与する自己引込み及び減衰デバイスを生成することが本発明の目的である。そのような自己引込み及び減衰デバイスを備えた家具又は屋内器具を示すことも本発明の更なる目的である。
【課題を解決するための手段】
【０００９】
この目的は、独立請求項の特徴を備えた自己引込み及び減衰デバイス又は家具又は屋内器具によって解決される。有利な実施形態及び更なる展開例は、従属請求項の主題事項である。
【００１０】
本発明による自己引込み及び減衰デバイスは、第１のドライバがエネルギー格納ユニットに連結され、第２のドライバが減衰要素に連結されており、引込み移動の第１の区間では、エネルギー格納ユニットと減衰要素は外部の活動体に作用し、引込み移動の第２の区間では、エネルギー格納ユニットのみが外部の活動体に作用することを特徴とする。
【００１１】
その結果、連結された引出し要素は、それが端部位置に引っ張られると、第１の区間において減衰した自己引込み移動を経る。第１の区間の端部では、第１及び第２のドライバ間の結合が解除され、自己引込み及び減衰デバイスの移動経路の残りの第２の区間は減衰が生じないので、自己引込み力のみが生じる。自己引込み及び減衰デバイスがもはや減衰的に作用しないこの第２の区間は、連結された引出し要素がより安全な端部位置へ到達することに繋がる。第２の区間の端部にて、第１のドライバ、従って外部の活動体は、可能な限り自己引込み及び減衰デバイス内に引き込まれる。
【００１２】
これに対する１つの理由は、減衰要素自体が移動手順に導入する第２の区間において摩擦損失が遮断されることにある。他の理由は、減衰要素が引込み速度を遅く保つことであり、これは基本的に望ましいことであるが、特に自己引込みの最後の区間では、引出し要素がその引出しガイド内の滑り摩擦又は転がり摩擦からその動きを妨げる静摩擦へと動く危険性がある。
【００１３】
変位経路の第２の区間における減衰要素の切り離しによる僅かに増加した引込み速度により、引出し要素を案内するときの転がりまたは滑り摩擦に代えて静摩擦が開始することによる引出し要素の停止が防止される。本発明による自己引込み及び減衰デバイスでは、自己引込み機能及び減衰機能は、夫々ドライバの１つに割り当てられる。ドライバ間の結合は、設計により機械的に明確に決定することができる。このようにして、総移動距離に対する第１又は第２の区間の長さの比を特定することが可能である。
【００１４】
第２の区間の好ましい長さは、第１のドライバの全変位の２０％から４０％、特に３０％から３５％である。全変位経路は、第１の区間と第２の区間の長さの合計に対応する。典型的な用途では、特定の条件は、十分な減衰と端部位置への安全な挿入との間の適切な妥協点を表す。
【００１５】
自己引込み及び減衰デバイスの有利な実施形態にて、第２のドライバは第２のドライバフォークを有して、第１のドライバ上に配置された内部の活動体と相互作用して２つのドライバを互いに結合する。引込み動作の第１の区間にて、内部の活動体を備えた第１のドライバは、２つのドライバを結合するために、第２のドライバの第２のドライバフォークに係合することが好ましい。第１の区間の端部にて、第２のドライバは第２のガイドカーブを通って案内され、変位経路の第２の区間において２つのドライバ間の結合が解消される。これは、第２のガイドカーブは、第１の区間と第２の区間の間の移行領域内にて傾斜した端部区域を有し、傾斜した端部区域は第１のガイドカーブから離れる方向を向いているとの点で構造的に簡単で信頼性のある方法で実施される。第２のドライバ（または第２のドライバの一部）の傾斜した端部区域への引込みにより、ドライバフォークは少なくとも一方の側で内部の活動体から離れる方向に移動する。
【００１６】
自己引込み及び減衰デバイスの有利な他の実施形態にて、戻り止め手段が第２のガイドカーブの傾斜した端部区域の領域に配置され、該戻り止め手段は第２のドライバを端部区域に固定する。これにより、特に傾斜した端部区域が重力のために下方を向いている場合に、第２のドライバが傾斜した端部区域から滑り落ちることが防止される。
【００１７】
自己引込み及び減衰デバイスの有利な更なる実施形態にて、エネルギー格納ユニットは少なくとも１つの引張りバネ及び/又は少なくとも１つの圧縮バネを有する。上記のバネはまた、例えば引張りバネと圧縮バネを有するエネルギー格納ユニットによって結合され、両バネは自己引込み及び減衰デバイスのハウジング上でスライドするように案内されている連結キャリッジを介して互いに連結されている。この結合により、短い取付け長さのエネルギー格納ユニットを用いて第１のドライバの長い移動経路が可能となる。
【００１８】
自己引込み及び減衰デバイスの有利な更なる実施形態にて、減衰要素は線形ダンパである。原則として、例えば回転ダンパのような他のタイプの減衰要素がまた用いられ得るが、線形ダンパは第２のドライバの線形変位移動に有利である。
【００１９】
自己引込み及び減衰デバイスの有利な更なる実施形態にて、第２のガイドカーブは、主案内方向に対して斜めに延びる少なくとも１つの回避区間を有して、主案内方向を横切る方向への第２のドライバの回避移動を可能にする。輸送又は取付け故に、第１のドライバが引込み移動の第１の区間にいるにもかかわらず、第１のドライバの内部の活動体が第２のドライバフォーク内に配置されていない状況が起こり得る。内部の活動体を第２のドライバフォークに戻すことができるようにするために、回避区間がガイドカーブに設けられている。好ましくは、第２のドライバは、その移行路中に突出するバネランスを有し、これは回避動作中に第２のドライバに復元力を及ぼす。これは弾力性のある回避動作をもたらす。回避動作故に２つのドライバが再び正しい位置にあるとき、第２のドライバが跳ね返り、第２のドライバフォークが内部の活動体を再び積極的に把持し、２つのドライバの結合を確実する。
【００２０】
自己引込み及び減衰デバイスの有利な更なる実施形態にて、第２のガイドカーブの少なくとも１つの縁部は複数の区間にて可撓性に構成されて、主案内方向を横切る方向への第２のドライバの回避移動を可能にしている。この代替の実施形態は、第２のドライバの回避動作を可能にして、２つのドライバの誤った位置を修正する。第２のガイドカーブが自己引込み及び減衰デバイスのハウジングの壁に形成されれば、動作の整合性(compliance)は、壁内の第２のガイドカーブに隣接して、好ましくは平行に形成された１つまたは複数の切開部(incision)によって有利に達成することができる。
【００２１】
本発明による少なくとも１つの引出し要素を有する家具又は屋内器具は、該引出し要素に作用する上記の少なくとも１つの自己引込み及び減衰デバイスを有することを特徴とする。この場合にて、自己引込み及び減衰デバイスは家具又は屋内器具の本体に対して静止しており、引出し要素に接続された外部の活動体と相互作用する。或いは、自己引込み及び減衰デバイスは引出し要素上に位置して、静止した外部の活動体と相互作用する。これは自己引込み及び減衰デバイスに関連して述べた利点をもたらす。
【００２２】
本発明による自己引込み及び減衰デバイスは引出し要素のあらゆる端部位置にて使用される。特に有利な用途は、家具又は屋内器具内で引出し要素を引き込まれた閉位置に引込むのに役立つ。同じ方法で、自己引込み及び減衰デバイスを使用して引出し要素を開位置に引き込むことも可能であり、開位置では引出し要素は家具本体又は屋内器具の外側のその引き出された端部位置に至る(brought into)。例えば、２つ以上の自己引込み及び減衰デバイスを組み合わせて、閉位置と開位置の両方で引出し要素を引き込み及び減衰させることができる。
【図面の簡単な説明】
【００２３】
本発明は、図面に示される実施形態の例を参照することにより、以下により詳細に説明される。
【図１ａ】動作位置で引き出しガイドの本体レールに取り付けられた自己引込み及び減衰デバイスの第１の実施形態例の斜視図を示す。
【図１ｂ】異なる動作位置で引き出しガイドの本体レールに取り付けられた自己引込み及び減衰デバイスの第１の実施形態例の斜視図を示す。
【図２】図１ａによる構成の背面図を示す。
【図３】第１の実施形態の例の自己引込み及び減衰デバイスを斜視図で示す。
【図４】図３による自己引込み及び減衰デバイスの分解斜視図である。
【図５ａ】ハウジングが部分的に切り開かれた状態での、様々な動作位置における第１の実施形態の例の自己引込み及び減衰デバイスの斜視図を示す。
【図５ｂ】ハウジングが部分的に切り開かれた状態での、様々な動作位置における第１の実施形態の例の自己引込み及び減衰デバイスの斜視図を示す。
【図５ｃ】ハウジングが部分的に切り開かれた状態での、様々な動作位置における第１の実施形態の例の自己引込み及び減衰デバイスの斜視図を示す。
【図５ｄ】ハウジングが部分的に切り開かれた状態での、様々な動作位置における第１の実施形態の例の自己引込み及び減衰デバイスの斜視図を示す。
【図６ａ】ハウジングが部分的に切り開かれた状態での、様々な動作位置における第１の実施形態の例の自己引込み及び減衰デバイスの斜視図または側面図を示す。
【図６ｂ】ハウジングが部分的に切り開かれた状態での、様々な動作位置における第１の実施形態の例の自己引込み及び減衰デバイスの側面図を示す。
【図６ｃ】ハウジングが部分的に切り開かれた状態での、様々な動作位置における第１の実施形態の例の自己引込み及び減衰デバイスの側面図を示す。
【図７ａ】動作位置にある自己引込み及び減衰デバイスの第２の実施形態の斜視図である。
【図７ｂ】ハウジングが部分的に切り開かれた図７aに類似した図である。
【図８ａ】更なる動作位置にある図７ａに類似した、第２の実施形態の例の自己引込み及び減衰デバイスの斜視図を示す。
【図８ｂ】更なる動作位置にある図７ｂに類似した、第２の実施形態の例の自己引込み及び減衰デバイスの斜視図を示す。
【図９】図８aの一部の側面図である。
【図１０】第２の実施形態例の自己引込み及び減衰デバイスの分解斜視図である。
【図１１】引出しガイド及び自己引込み及び減衰デバイスを備えた家具の一実施形態の断面斜視図をである。
【図１２】引出しガイドと自己引込み及び減衰デバイスを備えた冷凍器具の部分斜視図である。
【発明を実施するための形態】
【００２４】
図１a、図１b及び図２は、引出し要素用に引出しガイド上に取り付けられた自己引込み及び減衰デバイス１０の第１の実施形態例を示す。取付けブラケット２を有する本体レール１が引出しガイドから示されている。明瞭化の為に、本体レール１に対してこのスライド軸受に取り付けられた走行レールは示されていない。外部の活動体３は、そのような走行レールまたはこの走行レールに接続された引出し要素に取り付けられており、従って、活動体は走行レール又は引出し要素と共に移動する。
【００２５】
図１aは、部分的に引き出された引出し要素に対応する状態の本体レール１と自己引込及び減衰デバイス１０の配置の等角斜視図を示す。従って、外部の活動体３は自己引込み及び減衰デバイス１０に接していない。
【００２６】
図１ｂは、図１ａと同じ視線方向から把持され且つ完全に引き込まれた外部の活動体３を有する自己引込み及び減衰デバイス１０を示す。これは引出し要素が十分に引き込まれた状態に対応する。図２は、図１ａによる状態を背面図で、即ち取付けブラケット２の取付面を見せながら示している。
【００２７】
図１a及び図１bが示すように、自己引込み及び減衰デバイス１０は、好ましくは一体物の射出成形プラスチック要素であるハウジング１１を有する。固定手段１１０がハウジング１１に設けられており、この固定手段１１０によって、工具を用いずに自己引込み及び減衰デバイス１０を一方の取付けブラケット２に固定することができる。長手の延在方向において、ハウジング１１の少なくとも一側部は切開部１１１を有し、切開部１１１には外部の活動体３が入る。更に、ガイドカーブ１１２、１１３は、ハウジング１１内にて、ガイドカーブ１１２、１１３内に変位可能に取り付けられたドライバ用に構成されている。
【００２８】
この実施形態例にて、第１のガイドカーブ１１２はハウジング１１の上部に形成される。第１のドライバ１２は第１のガイドカーブ内で案内される。この第１のドライバ１２はエネルギー格納ユニット１３に連結される。第２のガイドカーブ１１３はハウジング１１の下部に形成される。この第２のガイドカーブ１１３内にて、第２のドライバ１７が案内される。第２のドライバは減衰要素１８に接続される。両ガイドカーブ１１２、１１３は、主案内方向に関して互いに平行に延びている。
【００２９】
図３及び図４は、第１の実施形態例の自己引込み及び減衰デバイス１０を本体レール１とは別に斜視図（図３）又は分解斜視図（図４）で示している。自己引込み及び減衰デバイス１０の詳細は、これらの２つの図面を用いて最初により詳細に説明される。外部の活動体３を引込み又は引き出す際の自己引込み及び減衰デバイス１０の動作手順は、図５a乃至図５d及び図６a乃至図６cに関連して続いて記載される。
【００３０】
第１のドライバ１２は、側方に突出するガイドピン１２０と、底部が開口するドライバフォーク１２１とを有する。外部の活動体３はドライバフォーク１２１に係合する。ガイドピン１２０によって、第１のドライバ１２は、ハウジング１１の各壁に互いに対向して形成された第１のガイドカーブ１１２内を案内される。ガイドカーブ１１２は杖状(crutch)カーブとして形成されており、それはその前方領域に上向きの端部区域１１２ａを有している。
【００３１】
前方及び後方の指定は、本願の範囲内における引出し要素の移動方向を指す。引出し要素を閉じるとき、外部の活動体３は、自己引込み及び減衰デバイス１０の前方領域に向かって移動する。上向きの傾斜した端部区域１１２ａにより、ドライバ１２の前方領域は最大に引き出された位置で持ち上がり、それによって、外部の活動体３は、ドライバフォーク１２１内に駆動されるときに持ち上げることができ、またはドライバフォーク外に駆動されるときに解除される。
【００３２】
ドライバ１２の上側にはフォーク１２２が配置され、該フォークを介してエネルギー格納ユニット１３への接続がなされる。この場合、エネルギー格納ユニット１３は、引張りバネ１４と圧縮バネ１５との組み合わせによって実現される。図面上の理由から、引張りバネ１４はその全長にわたって再現されていない。代替として、エネルギー格納ユニット１３は、ただ１つの引張りバネ、ただ１つの圧縮バネ、及び/又は１つ以上の異なるバネの他の組み合わせから構成され得ることに留意されたい。引張りバネ１４と圧縮バネ１５との本件の組み合わせでは、バネヘッド１４０を備えた引張りバネ１４は、第１のドライバ１２のフォーク１２２に係止され、そして他方では連結キャリッジ１６の同等のフォーク１６１に係止される。
【００３３】
連結キャリッジ１６は大凡互いに上下に配置された２つの平行な管部分から構成され、その上側管部分は引張りバネガイド１６０を表し、該引張りバネガイドを通して引張りバネ１４が案内される。後側が閉鎖した下側管部分は、圧縮バネ１５用の圧縮バネ受け部１６２を形成する。連結キャリッジ１６は、ハウジング１１の後部領域に形成された下方に開いたスリーブ１１５内でその引張りバネガイド１６０によって案内される。底部が開口しているスリーブ１１５は、その開口部に、引張りバネガイド１６０と圧縮バネ受け部１６２との間でくびれ(waist)に係合するウェブを有する。引張りバネ１４と圧縮バネ１５の組み合わせは、比較的短い設置長さの自己引込み及び減衰デバイス１０を有する第１のドライバ１２の長い案内行程にわたっても、エネルギー格納ユニット１３の有利な線形バネ動作に繋がる。
【００３４】
第２のドライバ１７はまたガイドピン１７０を有し、該ガイドピンを用いて第２のガイドカーブ１１３を案内される。このガイドカーブ１１３は第１のガイドカーブ１１２と大凡平行に形成される。ガイドカーブはまた、傾斜した端部区域１１３aを備えた杖状カーブでもある。ガイドカーブ１１３の中間領域にて、斜め上方に延びるパーキング区域１１３ｂと斜め下方に延びる回避区域１１３ｃとがあり、その機能については後述する。
【００３５】
ガイドカーブの前端部にて、移動方向に突出するバネランス１７３が第２のドライバ１７に配置されており、これもその側面に突出ガイドピンを有する。バネランス１７３の機能は以下により詳しく説明する。前方領域にて、ガイドカーブ１１３はポケット状の通路１１４に通じており、この通路の中にバネランス１７３が引っ込むことができる。
【００３６】
２つのガイドカーブ１１２、１１３は異なる長さを有し、これは２つのドライバ１２、１７の異なる移行路に繋がる。この場合、第１のドライバ１２の移行路の方が長く、外部の活動体３が自己引込み及び減衰デバイス１０内で実行できる引込み動作の全移行経路を表す。引込み動作の第１の区間Ａにおいて、第２のドライバ１７は第１のドライバ１２と一緒に移動する。引込み動作の第２の区間Ｂは第１のドライバ１２によってのみ実行される。この例における第２の区間Ｂの長さは、第１のドライバ１２の全変位経路の約３３％である。第１のドライバ１２の全変位経路は、第１の区間Ａと第２の区間Ｂの長さの合計に対応する。
【００３７】
第２のドライバ１７は、頂部が開いているフォーク１７１を有し、その中に両方のドライバ１２、１７を互いに結合するために内部の活動体１２３が係合する。後部領域において、受け部１７２が第２のドライバ１７上に形成されて、この第２のドライバ１７を減衰要素１８に結合する。減衰要素はピストンロッド１８０を備えた線形動作シリンダダンパ（線形ダンパとも呼ばれる）として構成され、ピストンロッド１８０は、その端部にボールヘッド１８１を担持し、ボールヘッド１８１は受け部１７２に係合する。減衰要素１８は不特定の固定手段を有しており、この固定手段によって、減衰要素１８は、好ましくはハウジング１１に係止される。
【００３８】
図５a乃至図５dは、異なる段階における自己引込み及び減衰工程の４つの手順を示す。図５a乃至図５dは図３と同等の斜視図であるが、ドライバ１２、１７の動作手順及びそれらの相互作用についての洞察を提供するために、ドライバ１２、１７の領域はハウジング１１から隠されている。明瞭化の為に、図中の全ての要素に符号が付されているわけではない。
【００３９】
図５aは第１に、引出し要素が引き出された自己引込み及び減衰デバイス１０の待機位置を示す。従って、両ドライバ１２、１７は前方位置にあり、エネルギー格納ユニット１３は最大限に予めローディングされ、減衰要素１８のピストンロッド１８０は最大限に引き出されている。この位置にて、前方領域の第１のドライバ１２は、外部の活動体（例えば、図１ａ、図１ｂ及び図２の外部の活動体３）を収容するために上方に傾斜している。第１のドライバ１２の内部の活動体１２３は、第２のドライバ１７のドライバフォーク１７１内に位置している。２つのドライバ１２、１７はこのように互いに連結される。
【００４０】
外部の活動体３がドライバフォーク１２１内に挿入された後に、第１のドライバ１２はその待機位置から傾き、エネルギー格納ユニット１３の力の作用の下に、引込み位置の方向に移動する。この動作の中間位置は図５bに示される。内部の活動体１２３は未だドライバフォーク１７１内に位置し、第２のドライバ１７は第１のドライバ１２と同期して動き、引込み運動は減衰される。
【００４１】
図５cに示す続いての引込み動作にて、第２のドライバ１７は引込み動作の２つの区間ＡとＢとの間の移行領域においてその第２の案内路１１３の端部に到達し、移動方向に前進するガイドピン１７０は傾斜した端部区域１１３a内に旋回する(図５cでは見えない)。
その結果、第２のドライバ１７が後部領域で傾動し、第１のドライバ１２の内部の活動体１２３を解放する。この場合、バネランス１７３は上方に旋回する。この動作を可能にすべく、バネランス１７３のガイドピンが配置されているパーキング区域１１３bが設けられている。
【００４２】
次に続く第２の区間Ｂにおいて、第１のドライバ１２は、第１の案内路１１２の端部に到達するまで、エネルギー格納ユニット１３の力の作用下で減衰せずに移動する。この状態は図５ｄに示されている
図５dによる閉状態から引出し要素が再び引き出されると、部分図５ａ乃至図５ｄに示されている手順は逆方向に動く。第２の区間Ｂと第１の区間Ａとの間の移行時に、内部の活動体１２３は第２のドライバフォーク１７１に結合し、第２のドライバ１７をその後部アイドル状態から持ち上げる。
【００４３】
次に、両方のドライバ１２、１７は、第１の区間Ａの前端で第１のドライバ１２が前方で上方に旋回して外部の活動体３を解放するまで、第１の区間Ａ（図３参照）内で一緒に動く。自己引込み及び減衰デバイスは再び、図５aによる前方の待機位置にある。
輸送及び取付けの理由から、示された自己引込み及び減衰デバイス１０に関して、２つのドライバ１２、１７は、第１の区間Ａの領域内でも結合されていないが、内部の活動体１２３は第２のドライバフォーク１７１の外側に配置されていることも可能である。
【００４４】
そのような状況は、図５a―図５dに比較される方法で、図６aに記載されている。内部の活動体１２３(この図にて)は第２のドライバフォーク１７１の左側に位置する。この状況では、第１のドライバ１２はその第１の案内路１１２の前端に到達しないので、活動体３を解放することはできない。図示の状況においても通常の動作状態に戻るために、回避区域１１３ｃが第２の案内路１１３に設けられている。第１のドライバ１２は自己引込み及び減衰デバイス１０に向かって移動し続けるので、対応するガイドピン１７０が回避区域１１３ｃ内に移動した状態で、内部の活動体１２３は第２のドライバ１７をその後方領域において下方に押す。次に、第２のドライバ１７は、第１のドライバ１２が通過することができるまで傾く。
【００４５】
図６cは、第１のドライバ１２の前端ストッパに達する直前の状態を示し、内部の活動体１２３は第２のドライバフォーク１７１に達する直前にある。第２のドライバ１７が第１のドライバ１２を通過した後に、ガイドピン１７０がガイドカーブ１１３の水平領域内に位置する水平位置合わせを再び確実にするために、第２のドライバ１７には前方に突出するバネランス１７３が設けられている。第２のドライバ１７の後端部を押し下げると、バネランス１７３は、図６b及び図６cに示す屈曲位置をとる。この屈曲位置には、第２のドライバ１７の元の水平方向への復元力が伴う。従って、内部の活動体１２３がドライバフォーク１７１の位置に完全に達すると、後方領域における第２のドライバ１７は図５aにより元の位置に跳ね返り、バネランス１７３を緩和する。システムは次にその正確な内部作動状態に戻る。
【００４６】
図７a乃至図１０は、自己引込み及び減衰デバイス１０の第２の実施形態例を示す。このデバイスは、屋内器具の内部または家具本体の中に別個に取り付けることを意図しているか、あるいは引出し要素の上または家具の可動部分の上に取り付けることを意図しており、外部の活動体は家具、屋内器具又はガイドの固定部分に取り付けられる。第２の実施形態例にて、同じ符号は第１の実施形態例と同じ又は均等の効果を有する要素を示す。
【００４７】
図７aは外部の活動体３と一緒になった自己引込み及び減衰デバイス１０を最初に斜視図で示し、活動体３は自己引込み及び減衰デバイス１０に入る直前に位置している。
基本的な構成に関して、第２の実施形態例の自己引込み及び減衰デバイス１０は第１の実施形態例の自己引込み及び減衰デバイスと同等である。以下において、２つの実施形態間の差異が特に記載される。
【００４８】
第２の実施形態例において、ドライバフォーク１２１を用いて外部の活動体３を受け入れる第１のドライバ１２は、ハウジング１１の下側部分に配置され、減衰要素１８に連結された第２のドライバ１７はハウジング１１の上側部分に配置される。第１及び第２の案内路１１２、１１３が夫々再び付与されて、杖状カーブ上で第１及び第２のドライバ１２、１７を案内する。再び、第１のガイドカーブ１１２は前部に傾斜した端部区域１１２ａを有し、第２のガイドカーブ１１３は後部に傾斜した端部区域１１３ａを有する。
【００４９】
第１の実施形態例のように、２つのドライバ１２、１７が移動の第１の区間Ａにて結合され、自己引込み動作の減衰が生じる。第２の区間Ｂにて、第２のドライバ１７はドライバフォーク１７１から内部の活動体１２３を解除し、第２の区間Ｂでは減衰しない自己引込み動作が行われる。
第１の移動区間における２つのドライバ１２、１７の連結は、図７bに示され、自己引込み及び減衰デバイス１０を図７aと同じ状態で示し、ハウジング１１を部分的に破断している。
【００５０】
図８a及び図８bは、活動体３が十分に引き込まれた状態の自己引込み及び減衰デバイス１０を示し、図７a及び図７bに類似している。図８bに見られるように、第２の区間Ｂにて、第２のドライバ１７の後端部は上方に枢動され、そこでは対応するガイドピン１７０が傾斜した端部区域１１３ａに入る。ドライバ１２、１７の結合は解除され、第１のドライバ１２は端部のストッパまで減衰されずに移動する。
【００５１】
第１の実施形態例と比較して、案内路１１２、１１３の配置が逆になっているため、傾斜した端部区域１１３ａ内の第２案内路１１３は上方に延びている。バネ力が加わらないから、第２のドライバ１７は、 ２つのドライバ１２、１７を切り離した後に重力のため、図８ａ又は図８ｂに示す端部位置から滑り落ちる可能性がある。
これを防ぐべく、自己引込み及び減衰デバイス１０の第２の構成例を部分的に拡大した図９に示すように、弾性突起の形状の戻り止め手段１１６が傾斜した端部区域１１３aに配置されている。端部位置に於いて、ガイドピン１７０は戻り止め手段１１６の上方に残る。しかしながら、力の作用下では、一旦第１のドライバ１２との連結が回復すると、ガイドピン１７０は戻り止め手段１１６上を容易にスライドし、端部位置から外れる。戻り止め手段１１６の弾性効果を達成するために、切開部１１７が傾斜した端部区域１１３ａの周りのハウジング１１の壁に作られる。
【００５２】
図８aに見られるように、第２の実施形態例のエネルギー格納ユニット１３はまた、引張りバネ１４と圧縮バネ１５の組み合わせによって実現される。次に、連結キャリッジ１６が存在し、それはスリーブ１１５として形成されたハウジング１１の区域内で案内される。
【００５３】
図１０は、第２の実施形態例の自己引込み及び減衰デバイス１０の構造を全体として分解斜視図で示す。第１の実施形態例とは対照的に、第２の実施形態例の引張りバネ１４は圧縮バネ１５内で延びる。図１０は、連結キャリッジ１６がその中に案内される両圧縮バネ１５と引張りバネ１４の管状受け部のみを有し、上部領域に同様に細長いピン１６３がスリーブ１１５内に案内されることを示す。
【００５４】
動作状態に関して、２つの実施形態例の間に、第１の移動区間内でさえ内部の活動体１２３がドライブフォーク１７１内に位置していないとの更なる差異がある(図６aから図６c及び関連する記載を参照)。本件の場合にて、内部の活動体１２３のドライブフォーク１７１への再係合は、第２のガイドカーブ１１３の少なくとも１つの縁部（この場合は上縁部）がその前方領域において弾力性及び弾性を有し、これによりガイドピン１７０の動作の一定の自由度を提供することによって可能になる。これは、切開部１１８を第２のガイドカーブ１１３と平行にすることによって達成され、これにより、第２のドライバ１７は、第１のドライバ１２がその内部の活動体１２３を通過できるまで上方に移動することができる。以下に示すように、同等の切込み１１９は、第１のガイドカーブ１１２を支持するように作られ得る。これにより、従って第１のドライバ１２は下方に移動することが出来る。
図１１及び図１２に関して、本願による自己引込み及び減衰デバイス１０が使用される家具又は屋内器具の例が以下に示される。
【００５５】
図１１は、一例として、キャビネットの形状の家具の本体４の一部を破断した斜視図を示す。本体４の内部空間６に対向する引き出しガイドが本体４の側壁５上に配置される。引き出しガイドは図１a又は図２に示されたものに近似している。引き出しガイドは取付けブラケット２を介して側壁５に取り付けられた本体レール１を備える。
【００５６】
自己引込み及び減衰デバイス１０はまた、取付けブラケット間の側壁５にも取り付けられる。自己引込み及び減衰デバイス１０は、図１a乃至図６bに示した第１の実施形態例の自己引込み及び減衰デバイス１０に大凡対応している。しかし、差異は、取付けブラケット２には固定されておらず、側壁５に直接固定されていることである。例えば、自己引込み及び減衰デバイス１０のハウジング１１のねじ穴は固定のために設けることができる。ここに示されているガイドレール１は、ここには示されていない走行レールと共に、引出し要素、例えば引出しを水平に案内するのに役立つ。外部の活動体３が引出しまたは走行レールに取り付けられており、それは上記のようにして自己引込み及び減衰デバイス１０と協働する。
【００５７】
図１２は、冷凍器具の本体４の内部空間６における自己引込み及び減衰デバイス１０の使用を示す。例として、図１２は、冷凍冷蔵庫と冷凍庫との組み合わせの斜視図を示し、自動引込み及び減衰デバイス１０が本体４の側壁５の上に部分的に示された内部空間６に取り付けられている。本体４は冷凍器具の絶縁体であり、その前面には周方向に絶縁シール７が設けられている。
【００５８】
示された引き出しガイドは、同様に図１a、図１b及び図２に示されたものに対応し、取付けブラケット２を介して側壁５に取り付けられる走行レール１を含む。示された場合にて、２つの更なるレール、即ち中間レールと走行レールを備えた十分に引き出される引き出しガイドが実現される。更に、引張りケーブルの形態の同期ユニット９が引き出しガイド上に配置され、同期ユニットは本体レール１と他のレール８の互いに対する同期動作を確実にする。
自己引込み及び減衰デバイス１０は第１の実施形態例の自己引込み及び減衰デバイスに対応し、図１a、図１b及び図２に関して示すように、取付けブラケット２の前に取り付けられる。
【００５９】
自己引込み及び減衰デバイスは、ここでは示されない外部の活動体と相互作用し、他のレール８、好ましくは走行レール上に配置される。或いは、図１１に示す家具と同様に、自己引込み及び減衰デバイス１０は引出し要素上に配置され、本体４に固定された外部の活動体と相互作用する。
冷凍ユニットに使用されたときの自己引込み及び減衰デバイス１０の利点は、引き出しガイドによって案内された引出し要素が安全に引き込まれることが確実になることである。この方法で、ここに示されていない冷凍ユニットのドアが、完全に引き込まれていない引出し要素と接触して、適切に閉じることができないことが確実に防止される。
【符号の説明】
【００６０】
１        本体レール
２        取付けブラケット
３      外部の活動体
４      本体
５      側壁
６      内部空間
７      ドアシール
８      更なるレール
９      同期ユニット
１０    自己引込み及び減衰デバイス
１１    ハウジング
１１０  固定手段
１１１  切開部
１１２  第１のガイドカーブ
１１２a 傾斜した端部区域
１１３  第２のガイドカーブ
１１３a 傾斜した端部区域
１１３b パーキング区域
１１３c 回避区域
１１４  通路
１１５  スリーブ
１１６  戻り止め手段
１１７  切開部
１１８  切開部
１１９  切開部
１２    第１のドライバ
１２０  ガイドピン
１２１  ドライバフォーク
１２２  バネ用のフォーク
１２３  内部の活動体
１３    エネルギー格納ユニット
１４    引張りバネ
１４０  バネヘッド
１５    圧縮バネ
１６    連結キャリッジ
１６０  引張りバネガイド
１６１  バネ用のフォーク
１６２  圧縮バネの受け部
１６３  ピン
１７    第２のドライバ
１７０  ガイドピン
１７１  ドライバフォーク
１７２  ボールヘッド用の受け部
１７３  バネランス
１８    減衰要素
１８０  ピストンロッド
１８１  ボールヘッド
Ａ      第１の区域
Ｂ      第２の区域
【図１ａ】
2019531790.tif 000003
【図１ｂ】
2019531790.tif 000004
【図２】
2019531790.tif 000005
【図３】
2019531790.tif 000006
【図４】
2019531790.tif 000007
【図５ａ】
2019531790.tif 000008
【図５ｂ】
2019531790.tif 000009
【図５ｃ】
2019531790.tif 000010
【図５ｄ】
2019531790.tif 000011
【図６ａ】
2019531790.tif 000012
【図６ｂ】
2019531790.tif 000013
【図６ｃ】
2019531790.tif 000014
【図７ａ】
2019531790.tif 000015
【図７ｂ】
2019531790.tif 000016
【図８ａ】
2019531790.tif 000017
【図８ｂ】
2019531790.tif 000018
【図９】
2019531790.tif 000019
【図１０】
2019531790.tif 000020
【図１１】
2019531790.tif 000021
【図１２】
2019531790.tif 000022
【国際調査報告】
2019531790.tif 000023
2019531790.tif 000024
2019531790.tif 000025
2019531790.tif 000026